(57)【要約】【課題】キャビネットの大型化を抑制する。【解決手段】本実施形態の分電盤は、ボックス２内に引き込まれる外部電線に接続される複数の内器(主開閉器50)と、内器が取り付けられる複数の基板52と、基板52を一対のベースレール24に固定するための固定部材(桟53及び取付レール54)とを備える。固定部材(桟53及び取付レール54)は、基板52と背面板20との間に外部電線(電線９)を通すための空間Ｙを形成するように構成される。本実施形態の分電盤は上述のように構成されるので、キャビネット１内のガタースペースが外部電線(電線９)に占有されることがなく、配線作業の作業性の低下を抑えるためにキャビネット１を大型化することが抑制できる。【選択図】        図１
2015119590.tif 000002
【特許請求の範囲】
【請求項１】
前面が開口したボックスと、前記ボックスの前記開口を開閉可能に塞ぐドアと、長手方向を上下方向に一致させて前記ボックスの背面板に設けられる一対のベースレールと、前記ボックス内に引き込まれる外部電線に接続される複数の内器と、前記内器が取り付けられる複数の基板と、前記基板を前記一対のベースレールに固定するための固定部材とを備え、
前記固定部材は、前記基板と前記背面板との間に前記外部電線を通すための空間を形成するように構成されることを特徴とする分電盤。
【請求項２】
前記固定部材は、左右方向の両端が前記ベースレールに固定される複数の桟と、長手方向を上下方向に一致させて前記桟に固定される一対の取付レールと、前記取付レールと前記基板との間に介在する補助金具とを備え、
前記ベースレールは、前記桟が固定可能な複数の第１固定部が上下方向に沿って並ぶように構成され、
前記桟は、前記取付レールが固定可能な複数の第２固定部が左右方向に沿って並ぶように構成され、
前記取付レールは、前記補助金具が取り付け可能な複数の取付部が上下方向に沿って並ぶように構成され、
前記補助金具は、後端側が前記取付レールの前記取付部に取り付けられ、且つ前端側に前記基板が取り付けられるように構成されることを特徴とする請求項１記載の分電盤。
【発明の詳細な説明】
【技術分野】
【０００１】
本発明は、分電盤に関する。
【背景技術】
【０００２】
従来の分電盤は、外部電線が１次側に接続される主開閉器(主幹ブレーカ)と、主開閉器の２次側に接続される母線(導電バー)と、母線に接続される複数の分岐開閉器とを金属製のキャビネット内に収納して構成される(例えば、特許文献１参照)。
【０００３】
キャビネットは、前面が開口したボックスと、主開閉器及び分岐開閉器のハンドルを前方へ露出させるようにしてボックスの前面を覆う保護板と、保護板の前方からボックスの前面を開閉可能に覆うドアとを備えている。
【０００４】
ボックスは、一対のベースレールが長手方向を縦方向(上下方向)に一致させて背面板に設けられている。各ベースレールは、ボルトの頭部を回動可能に保持する保持部が長手方向に沿って等間隔に設けられている。また、主開閉器や分岐開閉器などの内器は基板に取り付けられる。そして、基板の左右両端に貫通した挿通孔に、各ベースレールの保持部に頭部が保持されたボルトを挿通し、基板の前方からボルトにナットを締め付けることで基板がベースレールに固定される。
【先行技術文献】
【特許文献】
【０００５】
【特許文献１】特開２０１１−３６０５０号公報
【発明の概要】
【発明が解決しようとする課題】
【０００６】
ところで、集合住宅やテナントビルなどにおいては、複数系統の幹線を各々複数系統の幹線に分岐するための分電盤(幹線分岐盤)が用いられる。このような分電盤(幹線分岐盤)では、キャビネット内に引き込まれる外部電線の本数が多くなるため、必要なガタースペースを確保するためにキャビネットの大型化を招くという問題がある。
【０００７】
本発明は、上記課題に鑑みて為されたものであり、キャビネットの大型化を抑制することを目的とする。
【課題を解決するための手段】
【０００８】
本発明の分電盤は、前面が開口したボックスと、前記ボックスの前記開口を開閉可能に塞ぐドアと、長手方向を上下方向に一致させて前記ボックスの背面板に設けられる一対のベースレールと、前記ボックス内に引き込まれる外部電線に接続される複数の内器と、前記内器が取り付けられる複数の基板と、前記基板を前記一対のベースレールに固定するための固定部材とを備え、前記固定部材は、前記基板と前記背面板との間に前記外部電線を通すための空間を形成するように構成されることを特徴とする。
【０００９】
この分電盤において、前記固定部材は、左右方向の両端が前記ベースレールに固定される複数の桟と、長手方向を上下方向に一致させて前記桟に固定される一対の取付レールと、前記取付レールと前記基板との間に介在する補助金具とを備え、前記ベースレールは、前記桟が固定可能な複数の第１固定部が上下方向に沿って並ぶように構成され、前記桟は、前記取付レールが固定可能な複数の第２固定部が左右方向に沿って並ぶように構成され、前記取付レールは、前記補助金具が取り付け可能な複数の取付部が上下方向に沿って並ぶように構成され、前記補助金具は、後端側が前記取付レールの前記取付部に取り付けられ、且つ前端側に前記基板が取り付けられるように構成されることが好ましい。
【発明の効果】
【００１０】
本発明の分電盤は、基板と背面板との間に外部電線を通すための空間を形成するように固定部材が構成されるので、キャビネット内のガタースペースが外部電線に占有されることがなく、キャビネットの大型化を抑制することができるという効果がある。
【図面の簡単な説明】
【００１１】
【図１】本発明に係る分電盤の実施形態を示す断面図である。
【図２】同上の一部省略した平面図である。
【図３】同上の比較例を示す一部省略した平面図である。
【発明を実施するための形態】
【００１２】
以下、本発明に係る分電盤の実施形態について、図面を参照して詳細に説明する。本実施形態の分電盤は、集合住宅やテナントビルに設置され、電力系統から引き込まれる１乃至複数系統の幹線をそれぞれ複数系統の幹線に分岐することを目的とした、いわゆる幹線分岐盤である。ただし、本発明の技術思想が適用可能な分電盤は、本実施形態の幹線分岐盤に限定されるものではない。
【００１３】
本実施形態の分電盤(幹線分岐盤)は、図１及び図２に示すようにキャビネット１と、キャビネット１内に収納される複数(図示例では２つ)の内器ブロック５(５Ａ，５Ｂ)とを有する。
【００１４】
キャビネット１は、前面が開口した矩形箱状のボックス２と、ボックス２の前面を開閉可能に塞ぐドア３と、ドア３とボックス２の前面との間に配置される保護板４とを備える。そして、キャビネット１は、建物の壁に沿って、又は壁に埋め込まれるようにして設置される。
【００１５】
ボックス２は、鋼板などの金属板を加工することにより、背面板20と、一対の側面板21と、上面板22と、下面板(図示せず)とを有する矩形箱状に形成される。
【００１６】
ドア３は、鋼板などの金属板を加工することにより、ボックス２の前面を覆う矩形に形成される。また、ドア３は、強度を向上するため、四辺の全てが後方に曲げ起こされている(図１参照)。さらに、ドア３は、ボックス２の右側の側面板21の前端に取り付けられる複数の蝶番210に支持される。その結果、ドア３は、ボックス２の前面を閉塞する閉位置(図１に示す位置)と、ボックス２の前面を開放する開位置との間で回転可能に構成される。
【００１７】
保護板４は、鋼板などの金属板を加工することにより、ボックス２の前面を覆い且つドア３よりも一回り小さい矩形に形成される。また、保護板４は、ボックス２に着脱可能に取り付けられ、且つボックス２の前面を閉塞する閉位置(図１参照)と、ボックス２の前面を開放する開位置との間で回転可能に構成される。なお、保護板４は、複数の窓孔(図示せず)が設けられ、閉位置において、窓孔を通して内器(主開閉器50や分岐開閉器51)のハンドル500，510を前方へ露出させるように構成される(図１参照)。
【００１８】
図２に示すように、ボックス２の背面板20に、一対のベースレール24が溶接、ねじ止め、かしめなどの適宜の方法で取り付けられている。なお、図２ではボックス２の側面板21、上面板22、下面板、ドア３、保護板４の図示を省略している。
【００１９】
ベースレール24は、金属板を加工することで長尺の樋状に形成され、長手方向を上下方向に一致させるようにして背面板20の左右両端の近くにそれぞれ取り付けられる。また、ベースレール24は、複数の第１固定部240が長手方向に沿って等間隔に設けられている。
【００２０】
第１固定部240は、ボルト241(図１参照)の頭部が挿通可能な大径孔2400と、頭部が挿通不可能であり且つボルト241の軸部が挿通可能な小径孔2401とを有する。つまり、ボルト241は、頭部が大径孔2400から挿通された後に小径孔2401に移動させられ、軸部が小径孔2401を通して背面板20の前方へ突出した状態に保持される。つまり、ボルト241は、回転が規制され且つ軸部が背面板20に対して垂直に起立した状態で第１固定部240に保持されることになる。
【００２１】
そして、これら一対のベースレール24に２つの内器ブロック５(５Ａ，５Ｂ)が取り付けられる。ただし、これら２つの内器ブロック５Ａ，５Ｂは、共通の構成を有している。したがって、２つの内器ブロック５Ａ，５Ｂの同じ構成要素には同一の符号を付し、且つ一方の内器ブロック５Ａについてのみ説明し、他方の内器ブロック５Ｂについての詳細な説明は省略する。
【００２２】
内器ブロック５Ａは、内器、基板52、桟53、取付レール54、高さ調整部材55、第１基板取付板56、第２基板取付板57で構成される。
【００２３】
桟53は、金属板によって長尺の矩形板状に形成され、且つ長手方向に沿った両側辺が後方に曲げ起こされている(図１参照)。また、桟53は、長手方向の両端に一対のねじ挿通孔530が設けられている。さらに、桟53は、複数の第２固定部531が長手方向に沿って間隔を空けて設けられている(図２参照)。第２固定部531は、第１固定部240と同様に大径孔と小径孔とを有し、大径孔に挿通されるボルト241の頭部が小径孔に移動させられることにより、軸部が背面板20に対して垂直に起立し且つ回転可能な状態でボルト241を保持するように構成される(図１参照)。
【００２４】
取付レール54は、長尺の金属板が長手方向に沿って両側辺が同じ方向に曲げ起こされることで角樋状に形成されている。また、取付レール54の底板に、複数のねじ挿通孔540が長手方向に沿って等間隔に設けられている(図２参照)。なお、これらのねじ挿通孔540が基板52を取り付ける(ねじ止めする)ための取付部に相当する。
【００２５】
高さ調整部材55は、金属板を曲げ加工することで角筒状に形成される(図１参照)。また、高さ調整部材55は、前後方向に対向する一対の底壁の中央にそれぞれねじ挿通孔(図示せず)が貫通されている。
【００２６】
内器ブロック５Ａは、幹線を分岐するための内器(幹線分岐用の３個の主開閉器50)を有している。これら３個の主開閉器50が取り付けられる基板52は、図１に示すように第１取付部520と、第２取付部521と、第１取付部520と第２取付部521を繋ぐ縦壁522とが金属板が曲げ加工されることで一体に形成される。
【００２７】
第１取付部520には、３個の主開閉器50が縦方向(上下方向)に並べて取り付けられる。また、第２取付部521には、合成樹脂などの絶縁材料で角柱状に形成された３つの取付台523が幅方向(左右方向)に並べて取り付けられる。これら３つの取付台523は、その前面にそれぞれ母線(導電バー６)がねじ止めされる。さらに、第２取付部521には、電気絶縁性を有する材料からなり、導電バー６と保護板４との距離を所定値以上に保つように構成されたセパレータ７がねじ止めして取り付けられる。
【００２８】
導電バー６は、銅又は銅合金などの電気伝導度が比較的に高く且つ安価な金属材料によって幅細の板状に形成されている。また、導電バー６は、複数個のねじ挿通孔601が長手方向に沿って等間隔に設けられており、ねじ挿通孔601に挿通されるねじ(図示せず)で取付台523にねじ止めされる(図１参照)。なお、導電バー６の一端(下端)に外部電線(図示せず)の先端が接続される。
【００２９】
第１取付部520に取り付けられる各主開閉器50は、金属製の分岐バー58によって、１次側端子501が導電バー６と接続される。分岐バー58は、ねじ端子からなる１次側端子501に一端が接続され、他端が導電バー６にねじ止めされる。なお、分岐バー58と導電バー６とは、導電バー６のねじ挿通孔602に挿通されるねじ61で固定される。
【００３０】
第１基板取付板56及び第２基板取付板57は、何れも長尺の金属板の長手方向に沿った両側辺が同じ方向に曲げ起こされることで角樋状に形成される。なお、第１基板取付板56は、第２基板取付板57よりも前後方向の幅寸法(図１における高さ寸法)が大きくなっている。
【００３１】
第１基板取付板56は、基板52の第１取付部520と、左側の取付レール54とにそれぞれねじ止めされる。第２基板取付板57は、基板52の第２取付部521と、右側の取付レール54とにそれぞれねじ止めされる。その結果、第１取付部520及び第２取付部521は、ボックス２の背面板20と平行になるように取付レール54に取り付けられる(図１参照)。
【００３２】
また、本実施形態の分電盤は、２つの内器ブロック５Ａ，５Ｂの他に端子台ブロック８を備えている。端子台ブロック８は、基板80と、基板80に取り付けられる端子台81とを有する。基板80は、金属板によって平坦な矩形板状に形成され、長手方向の両端に複数のねじ挿通孔800が等間隔に設けられている。
【００３３】
端子台81は、合成樹脂成形体からなる台座810の前面に、１次側の３個のねじ式端子811と、２次側の３個のねじ式端子812とが２列に並べて設けられている。なお、１次側の３個のねじ式端子811は、それぞれ２次側の３個のねじ式端子812のうちで隣り合うねじ式端子812と導通するように構成される。そして、端子台81は、台座810がねじ止めされることで基板80に取り付けられる。
【００３４】
基板80は、長手方向両端のねじ挿通孔800と取付レール54のねじ挿通孔540に挿通されるボルト(図示せず)にナットを締め付けることで一対の取付レール54に取り付けられる。なお、端子台ブロック８は、下側の内器ブロック５Ａの下方に配置される。
【００３５】
ここで、端子台81の２次側のねじ式端子812には、電線９の一端に取り付けられた圧着端子90がねじ止めされる。そして、各電線９は、背面板20及び桟53と、基板52の第１取付部520Aとの間に形成される空間(図１における一点破線で囲まれた空間)Ｙに通され、他端に取り付けられた圧着端子90が上側の内器ブロック５Ｂの導電バー６の下端にねじ止めして接続される。
【００３６】
ここで、図３を参照して、本実施形態の分電盤の比較例を説明する。ただし、本実施形態の分電盤と機能的に共通する部材については、その形状や寸法が多少相違していても共通の符号を付すこととする。
【００３７】
ボックス２の背面板20に一対のベースレール(図示せず)が取り付けられる。そして、これらのベースレールに取付枠10がねじ止めして取り付けられる。取付枠10は、長尺の矩形平板状に形成される一対の縦板11と、各縦板11の上端と下端を連結する横板12とで構成される。縦板11は、多数のねじ挿通孔110が長手方向に沿って等間隔且つ複数列に設けられている。そして、取付枠10は、各横板12の両端が各ベースレール24の上下両端にねじ止めされることで背面板20の前方に配設される。ベースレール24には、２つの内器ブロック５Ａ，５Ｂと端子台ブロック８が上下方向に並べて取り付けられる。
【００３８】
ここで、図３に示す比較例は、ベースレール24に基板52が直接ねじ止めして取り付けられるため、背面板20と基板52との間には、電線９を通せるだけの空間Ｙが存在しない。したがって、この比較例では、図３に示すように内器ブロック５Ａの横のガタースペースに電線９を通さなければならない。その結果、３本の電線９でガタースペースが占有されてしまうので、主開閉器50の２次側端子502に電線(図示せず)を接続し且つ引き回す作業(配線作業)の作業性が低下する。故に、作業性の低下を抑えようとすれば、必要なガタースペースを確保するためにキャビネット１を大型化する必要が生じる。
【００３９】
一方、本実施形態の分電盤は、基板52と背面板20及び桟53との間の空間Ｙに電線９を通すことができるので(図２参照)、比較例のように電線９がガタースペースを占有することがなく、キャビネット１を大型化せずとも配線作業の作業性の低下を抑えることができる。
【００４０】
上述のように本実施形態の分電盤は、前面が開口したボックス２と、ボックス２の開口を開閉可能に塞ぐドア３と、長手方向を上下方向に一致させてボックス２の背面板20に設けられる一対のベースレール24とを備える。また、本実施形態の分電盤は、ボックス２内に引き込まれる外部電線に接続される複数の内器(主開閉器50)と、内器が取り付けられる複数の基板52と、基板52を一対のベースレール24に固定するための固定部材(桟53及び取付レール54)とを備える。固定部材(桟53及び取付レール54)は、基板52と背面板20との間に外部電線(電線９)を通すための空間Ｙを形成するように構成される。
【００４１】
本実施形態の分電盤は上述のように構成されるので、キャビネット１内のガタースペースが外部電線(電線９)に占有されることがなく、配線作業の作業性の低下を抑えるためにキャビネット１を大型化することが抑制できる。
【００４２】
また、固定部材は、左右方向の両端がベースレール24に固定される複数の桟53と、長手方向を上下方向に一致させて桟53に固定される一対の取付レール54と、取付レール54と基板52との間に介在する補助金具(高さ調整部材55及び基板取付板56，57)とを備える。ベースレール24は、桟53が固定可能な複数の第１固定部240が長手方向に沿って並ぶように構成される。桟53は、取付レール54が固定可能な複数の第２固定部531が長手方向に沿って並ぶように構成される。取付レール54は、基板52が取り付け可能な複数の取付部(ねじ挿通孔540)が長手方向に沿って並ぶように構成される。補助金具(高さ調整部材55及び基板取付板56，57)は、後端側が取付レール54の取付部(ねじ挿通孔540)に取り付けられ、且つ前端側に基板52が取り付けられるように構成される。
【００４３】
本実施形態の分電盤は上述のように構成されるので、キャビネット１を大型化せずにガタースペースの拡大を図ることができる。つまり、従来例のようにベースレール24に直接、あるいは基板取付板56を介して基板52が取り付けられる場合、取り付けられる内器の大きさや個数に関係なく、基板52の横幅(左右方向の長さ)がベースレール24の間隔とほぼ等しくなる。その結果、基板52(及び基板取付板56)によってボックス２内のガタースペースが狭められてしまう。
【００４４】
これに対して本実施形態の分電盤では、基板52が桟53と取付レール54を介してベースレール24に取り付けられるため、桟53に対する取付レール54の取付位置を、基板52の大きさ(横幅)に合わせて調整することができる。その結果、図１に示すように、同じ大きさのキャビネット１(ボックス２)のガタースペース(破線Ｘで囲まれる領域)の拡大を図ることができる。そして、ガタースペースが拡大されることにより、主開閉器50Aの２次側端子に電線(図示せず)を接続する際の作業性の向上を図ることができる。
【符号の説明】
【００４５】
１  キャビネット
２  ボックス
３  ドア
４  保護板
24  ベースレール
50  主開閉器(内器)
51  分岐開閉器(内器)
52  基板
53  桟(固定部材)
54  取付レール(固定部材)
【図１】
2015119590.tif 000003
【図２】
2015119590.tif 000004
【図３】
2015119590.tif 000005